(57)【要約】 【課題】  小型コイルを加工できるコイル加工装置等を提供する。【解決手段】  中空管１１は、全長における少なくとも一部分にスリット１１Ｓを含み、芯１５の挿し込みによって、スリット１１Ｓにおける幅を広げ、コイル２１の内側に接触するまで拡径する。【選択図】    図１
2012071038.tif 000002
【特許請求の範囲】
【請求項１】
コイル加工装置にあって、
上記コイルによって被われる中空管と
上記中空管に挿入される芯と、
が含まれ、
上記中空管は、全長における少なくとも一部分に、単数または複数のスリットを
含み、上記芯の挿入によって、上記スリットにおける幅を変化させ、上記コイルの
内側に接触するまで拡径するコイル加工装置。
【請求項２】
上記中空管の全長方向に対する上記スリットの傾斜角θが、以下の式（１）の通りである請求項１に記載のコイル加工装置。
０°＜θ≦３０°  …  式（１）
【請求項３】
上記中空管の材料が、ステンレスまたは超弾性材料である請求項１または２に記載のコイル加工装置。
【請求項４】
上記芯が上記中空管に挿入される前での、上記中空管の外径を第１中空管外径とし、
上記芯が上記中空管に挿入された後での、拡径する上記中空管の外径を第２中空管外径とすると、
上記芯は、上記第２中空管外径を、上記第１中空管外径に対して１１０％以上の大きさにさせる外径を有する請求項１〜３のいずれか１項に記載のコイル加工装置。
【請求項５】
上記第２中空管外径が、上記中空管の外径にて、上記スリットに重なる外径であり、
上記第１中空管外径が、上記中空管の外径にて、上記スリットに重ならない外径である請求項４に記載のコイル加工装置。
【請求項６】
コイル加工方法にあって、
全長における少なくとも一部分にスリットを含む中空管に、上記コイルを被わ
せる工程と、
上記中空管に対する芯の挿入によって、上記スリットにおける幅を変化させ、
上記コイルの内側に接触するまで拡径させる工程と、
を含むコイル加工方法。
【請求項７】
請求項６に記載のコイルの加工方法を用いる医療用チューブ製造方法にあって、
上記中空管を被う上記コイルに対して、樹脂チューブを被せる工程と、
上記樹脂チューブに対して、熱収縮チューブを被わせ、その熱収縮チューブを加
熱する工程と、
を含む医療用チューブ製造方法。
【発明の詳細な説明】
【技術分野】
【０００１】
本発明は、コイル加工装置、コイル加工方法、および医療用チューブ製造方法に関する。
【背景技術】
【０００２】
経皮的に血管内に挿入したカテーテルが、脳、心臓、または、腹部等の臓器に導かれ、そのカテーテルを通じて、治療薬、塞栓物質、または造影剤等が投与あるいは注入されたり、血栓等が吸引されたりする医療行為は、従来から行われている。
【０００３】
近年では、医学の進歩により、カテーテルを通じて、細い末梢血管に対して、治療薬、塞栓物質、または造影剤等を注入したり、血栓等を吸引したりすることが必要とされており、カテーテルには、様々な操作性が求められている。
【０００４】
この操作性としては、例えば、術者の押込み力をカテーテルの先端まで確実に伝達する押込み性（プッシャビリティー）、細く屈曲した末梢血管への到達性、および、血管の屈曲部または湾曲部でもカテーテルに折れ曲がりを生じさせない耐キンク性等が、挙げられる。そして、耐キンク性またはプッシャビリティーが確保されるために、カテーテルに対し、編組構造またはコイル構造を有する補強層が含まれることがある。
【０００５】
コイル構造は、その優れた耐キンク性または高屈曲時の内腔維持性により、特に、カテーテル先端側における柔軟部で、それら特性を発揮することが確認されている。
【０００６】
そして、コイル構造を含む医療用チューブを製造する方法［医療用チューブ製造方法］の一例として、以下のような方法が挙げられる。まず、芯（例えば、中実棒）を挿入された中空のコイルの外側に、中空のチューブが被せられた後、必要に応じて、熱収縮チューブが中空のチューブに被せられる。その後、この熱収縮チューブを被せられた物体全部が、オーブン等で熱せられることで、中空のチューブが溶けだし、コイルに付着する（要は、熱溶着される）。
【０００７】
このような方法に限らず、連続する１本の素線を螺巻きした構造であるコイルは、変形しやすい（なお、このようなコイルは、例えば、疎巻コイル、または、ピッチ巻きコイルと称される）。特に、コイルにて、隣り合う素線が密着していない場合、そのコイルは、自身の長手方向に対して変形しやすい。
【０００８】
そのため、一般的には、樹脂製のチューブが、コイルの内側または外側に、一体的に取り付けられている。そして、このような樹脂製のチューブ（樹脂層）がコイルの内側または外側に取り付けられる加工では、コイル構造の内側に、芯が挿入されたり、外側にチューブが被せられたりする。
【０００９】
しかしながら、このような加工だと、コイルにおける素線のピッチ（コイルピッチ）が乱れやすく、安定して、素線のピッチを一定にした医療用チューブが得られなかった。例えば、コイルの内側に、加工用の芯材が挿入される場合、コイルの内径にほぼ等しい外径の芯が挿入されると、芯がコイルに引っかかり、素線のピッチが乱れてしまう。
【００１０】
逆に、コイルの内側に、コイルの内径より小さい芯材が挿入される場合、芯は容易にコイルの内側に進入するが、芯とコイルの内側との隙間が生じてしまい、芯の外表面にコイルとが固定されない。そのため、コイルの外側に、樹脂製のチューブが被せられる場合、コイルの素線ピッチが乱れてしまう。
【００１１】
そこで、コイルの素線のピッチを乱さない方法として、特許文献１では、マンドレル［コイルの加工装置］が開示されている。このマンドレルでは、外面にコイルの軸心方向に沿って、複数のコイルターン固定部材を、着脱自在に取り付けた巻芯胴が、中空支持軸の周りに径可変に取り付けられる。さらに、このマンドレルは、中空支持軸内へのロッドの挿入で拡径する。
【００１２】
詳説すると、マンドレルの横断面において、巻芯胴は、中空支持軸を中心に放射状に複数で配置される。そして、各巻芯胴は、マンドレルの横断面において、中空支持軸に向く内側に、複数個の突部を含み、中空支持軸から乖離する外側における中央付近を膨らませることで弧状にする（なお、巻芯胴の突部が、中空支持軸に形成された穴に嵌ることで、巻芯胴は、中空支持軸を中心に放射状に複数で配置される）。
【００１３】
そして、このマンドレルでは、中空支持軸にロッドが挿入されることで、中空支持軸の穴を通じ、その中空支持軸の内側に突出していた巻芯胴の突部が、ロッドによって押される。これにより、マンドレルにおける巻芯胴が中空支持軸から乖離する方向に移動し、複数の巻芯胴の表面で規定されるマンドレルの外径が拡径する。すると、このマンドレルの外径が、コイルの内径となる。
【００１４】
この状態のマンドレルの外径（外表面）に、コイルが巻き回しされた後、ロッドが中空支持軸から引き抜かれる場合、ロッドが引き抜かれることで、マンドレルの外径が、コイルの内径より小さくなる。そのため、このマンドレルで巻き回しされるコイルでは、素線のピッチが乱れない。
【先行技術文献】
【特許文献】
【００１５】
【特許文献１】特開昭６０−１３００９１号公報
【発明の概要】
【発明が解決しようとする課題】
【００１６】
しかしながら、医療用チューブに含まれるようなコイルでは、特許文献１に記載のマンドレルは不適である。なぜなら、医療用チューブのように、極めて小内径かつ小外径なコイルを要する場合、巻芯胴および中空支持軸の大きさも、極めて小さなものになる。このようなマンドレルの場合、中空支持軸に挿入されるロッドが非常に細くなり、巻芯胴を移動させるだけの強度を持ち得ない。つまり、特許文献１のようなマンドレルは、巻芯胴を含む複雑な構造ゆえに、その巻芯胴を移動させるために大型化し、それに対応して、小型コイルの加工が難しい。
【００１７】
本発明は、上記の問題点を解決するためになされたものである。そして、その目的は、小型コイルを加工できるコイル加工装置等を提供することにある。
【課題を解決するための手段】
【００１８】
コイル加工装置は、コイルによって被われる中空管と、中空管に挿入される芯と、を含む。そして、このコイル加工装置では、中空管は、全長における少なくとも一部分に、単数または複数のスリットを含み、芯の挿入によって、スリットにおける幅を変化させ、コイルの内側に接触するまで拡径する。
【００１９】
また、中空管の全長方向に対するスリットの傾斜角θが、以下の式（１）の通りであると好ましい。
【００２０】
０°＜θ≦３０°  …  式（１）
また、中空管の材料が、ステンレスまたは超弾性材料であると好ましい。
【００２１】
また、芯が中空管に挿入される前での、中空管の外径を第１中空管外径とし、芯が中空管に挿入された後での、拡径する上記中空管の外径を第２中空管外径とすると、以下のようになっていると、好ましい。すなわち、芯は、第２中空管外径を、第１中空管外径に対して１１０％以上の大きさにさせる外径を有すると好ましい。
【００２２】
なお、第２中空管外径が、中空管の外径にて、スリットに重なる外径であり、第１中空管外径が、中空管の外径にて、スリットに重ならない外径であると好ましい。
【００２３】
また、コイル加工方法は、全長における少なくとも一部分にスリットを含む中空管に、コイルを被わせる工程と、中空管に対する芯の挿入によって、スリットにおける幅を変化させ、コイルの内側に接触するまで拡径させる工程と、を含む。
【００２４】
また、上述のコイルの加工方法を用いる医療用チューブ製造方法は、中空管を被うコイルに対して、樹脂チューブを被せる工程と、樹脂チューブに対して、熱収縮チューブを被わせ、その熱収縮チューブを加熱する工程と、を含む。
【発明の効果】
【００２５】
本発明によれば、小型コイルを加工できる。
【図面の簡単な説明】
【００２６】
【図１】は、図９において、芯を挿入され、かつコイルに被われた中空管のＡ１−Ａ１’線矢視断面図である。
【図２】は、図９において、芯を挿入され、かつコイルに被われた中空管のＢ１−Ｂ１’線矢視断面図である。
【図３】は、図９において、芯を挿入され、かつコイルに被われた中空管のＣ１−Ｃ１’線矢視断面図である。
【図４】は、図８において、コイルにて被われた中空管のＡ２−Ａ２’線矢視断面図である。
【図５】は、図８において、コイルにて被われた中空管のＢ２−Ｂ２’線矢視断面図である。
【図６】は、図８において、コイルにて被われた中空管のＣ２−Ｃ２’線矢視断面図である。
【図７】は、コイル加工装置の一部である中空管と、その中空管に嵌るコイルとを示した斜視図である。
【図８】は、コイル加工装置を示す斜視図である。
【図９】は、コイル加工装置を示す斜視図である。
【図１０】は、コイル加工装置に外層チューブが装着された状態を示す断面図である。
【図１１】は、図１０に示される中空管の長手方向に対して垂直な断面図である。
【図１２】は、シャフトチューブの断面図（シャフトチューブの長手方向に沿った断面図）である。
【図１３】は、図１２に示されるシャフトチューブの長手方向に対して垂直な断面図である。
【図１４】は、中空管の側面図である。
【図１５】は、中空管の斜視図である。
【図１６】は、中空管の斜視図である。
【図１７】は、実施例および比較例をまとめた表である。
【発明を実施するための形態】
【００２７】
[実施の形態１]
実施の一形態について、図面に基づいて説明すれば、以下の通りである。なお、便宜上、ハッチングや部材符号等を省略する場合もあるが、かかる場合、他の図面を参照するものとする。
【００２８】
医療用のカテーテル等に含まれるシャフトチューブ［医療用チューブ］は、複層構造になっており、例えば、コイルが含まれることがある。このようなコイル（コイル層）の加工方法に関して説明する。なお、コイルの加工に要する中空管と芯とをコイル加工装置と称する。
【００２９】
図７は、コイル２１と、このコイル２１の加工のために要する中空管（中空パイプ）１１とを示す。なお、この図７および後述のその他図での白色矢印は、コイル２１等の物体が移動することをわかりやすく示すための矢印である。
【００３０】
コイル２１は、例えば、ステンレス鋼、白金、金、銅、または真鍮等の金属製の素線、あるいは、ニッケルとチタンとの合金で形成されるナイチノールのような形状記憶合金の素線で形成されるとよい（なお、ナイチノールのような極めて弾性率の高い材料を、超弾性材料と称する）。
【００３１】
そして、コイル２１は、素線を螺旋状に巻くことで、筒状に形成されるが、素線のピッチは、密着していても、乖離していても構わない。なお、ここでのピッチとは、素線のある１点と、その素線に沿って円周方向に１周（３６０°）離れた別の１点との間隔（ただし、コイル２１の長手方向に沿う間隔）を意味する。
【００３２】
また、コイル２１は、中空管１１の外側に被せられるので、中空管１１の外側を被える程度の内径を有すればよい。例えば、コイル２１は、中空管１１の外径（例えば、中空管１１にてスリット１１Ｓの形成されていない箇所での外径）よりも大きな内径を有していると好ましい。
【００３３】
中空管１１は、外側をコイル２１によって被われる管である（いいかえると、中空管１１は、コイル２１の内側に収まる管である）。さらに、中空管１１は、中空（内腔）を囲む壁部にスリット１１Ｓを含む。このスリット１１Ｓは、中空管１１における長手方向Ｌの一端から他端に向かって切り込まれており、その上、中空管１１における内側（内壁）と外側（外壁）とを通じさせる｛なお、図７でのスリット１１Ｓの長さは、中空管１１の長手方向Ｌ（全長方向）の全てではなく、一部である｝。
【００３４】
また、中空管１１に対するスリット１１Ｓの形成方法（加工方法）は、特に限定されない。例えば、切削加工、放電加工、またはレーザー加工等が挙げられる。なお、スリット１１Ｓが形成される場合、中空管１１にバリを発生させない加工、または、中空管１１に熱影響による効果（例えば、中空管１１の変形）を与えない加工が適しており、レーザー加工、例えば、ＹＡＧレーザーまたはファイバーレーザーによる加工が好ましい。
【００３５】
なお、スリット１１Ｓを含む中空管１１の場合、スリット１１Ｓの箇所に、中空管１１の壁部が埋まっていると仮定し、中空管１１の径（内径および外径）が規定されるものとする。
【００３６】
また、中空管１１の材料も、特に限定されず、例えば、金属または樹脂が挙げられる。
【００３７】
金属としては、鉄、銅、真鍮、ステンレス鋼等の金属、または、ナイチノール等の超弾性材料、が挙げられる。なお、金属は、比較的高い曲げ強度を有し、スリット１１Ｓを含むことで、曲がりやすくなった部分（例えば、線状のスリット１１Ｓの根本周辺）にて、良好な耐久性を有すると好ましい。また、金属は、比較的高い耐熱温度を有することで、そのまま加熱加工されると好ましい。例えば、弾性域が広く、後述の芯１５の挿入および抜去の場合に、弾性変形により繰返し変形を容易に行えるナイチノール等の超弾性材料が、中空管１１の材料として好ましい。
【００３８】
また、樹脂としては、例えば、ナイロン６、ナイロン６６、ナイロン１２、ポリアミドエラストマー等のポリアミド類、ポリエチレン、ポリプロピレン、ポリメチルメタクリレート、変性ポリオレフィン等のオレフィン類、ポリエチレンテレフタレート、ポリブチレンテレフタレート、ポリエステルエラストマー等のポリエステル類、ポリウレタン、ポリウレタンエラストマー、ポリエーテルエーテルケトン、ポリアリレート、ポリイミド、または、ポリアミドイミドあるいはこれらのポリマーブレンドまたはポリマーアロイ等、が挙げられる。
【００３９】
図８は、コイル２１にて被われた中空管１１と、この中空管１１に挿入される芯１５とを示す斜視図であり、図９は、コイル２１にて被われた中空管１１に芯１５の挿入された状態を示す斜視図である。
【００４０】
なお、図８にて、コイル２１にて被われた中空管１１の種々断面図を、図４〜図６に示す。図４〜図６は、コイル２１にて被われた中空管１１のＡ２−Ａ２’線矢視断面図、Ｂ２−Ｂ２’線矢視断面図、Ｃ２−Ｃ２’線矢視断面図である（なお、図６の断面図では、便宜上、コイル２１と中空管１１とは、接触しないように図示する）。また、図９にて、芯１５を挿入され、かつコイル２１に被われた中空管１１の種々断面図を、図１〜図３に示す。図１〜図３は、コイル２１にて被われた中空管１１のＡ１−Ａ１’線矢視断面図、Ｂ１−Ｂ１’線矢視断面図、Ｃ１−Ｃ１’線矢視断面図である。
【００４１】
芯１５は棒状の部材で、中空管１１の内側（管内部）に挿入されるものである。そして、この芯１５が中空管１１に挿入されることで、芯１５の外表面（外側）が中空管１１の内壁（内側）に接触し、中空管１１の内径および外径が、芯１５を挿入される前の中空管１１の内径および外径よりも広がる（要は、中空管１１が拡径する）。詳説すると、中空管１１は、全長における一部分にスリット１１Ｓを含み、芯１５の挿し込みによって、スリット１１Ｓにおける幅（スリット幅）を広げ、コイル２１の内側に接触するまで拡径する。
【００４２】
なお、コイル２１の内径、中空管１１の内径・外径、および芯１５の外径は、芯１５の中空管１１への挿入によって、中空管１１が拡径し、さらに、拡径した中空管１１における外壁が、コイル２１の内側に接触するように設計されている。
【００４３】
そして、以上のようなコイル加工装置１９では、中空管１１の外壁が、コイル２１の内側に接触することで、コイル２１における素線のピッチが固定される。このように素線のピッチが固定されると、例えば、コイル２１に対して、さらに層を被わせてシャフトチューブ２９を製造する場合に、コイル２１が所望の構造、すなわち、素線のピッチを乱さない状態のコイル２１のまま、シャフトチューブ２９に含まれる。
【００４４】
そのため、シャフトチューブ２９が所望の設計通りの機能、例えば、柔軟性および耐キンク性に優れた機能を有する（要は、コイル２１における素線のピッチが乱れることに起因した不具合が、シャフトチューブ２９に生じない）。
【００４５】
さらに、芯１５は、以下のようにもいえる。例えば、芯１５が中空管１１に挿入される前での、中空管１１の外径を挿入前中空管外径［第１中空管外径］とし、芯１５が中空管１１に挿入された後での、拡径する中空管１１の外径を挿入前中空管外径［第２中空管外径］とする。すると、芯１５は、挿入後中空管外径を、挿入前中空管外径に対して拡大させる外径を有する。
【００４６】
例えば、コイル２１の内径は、中空管１１にてスリット１１Ｓを含まない壁部（中空管１１の円周方向の全周囲にて、スリット１１Ｓが含まれない壁部）で規定される中空管１１の外径よりも大きく、１．１倍以上であるとする。このような場合、芯１５は、挿入後中空管外径を、挿入前中空管外径に対して１．１倍以上（拡径率；１１０％以上）の大きさにさせる外径を有すると好ましい。
【００４７】
このようになっていれば、図１に示すように、スリット１１Ｓの進入側となる中空管１１の一端から、芯１５が挿入されると、中空管１１にてスリット１１Ｓを含む壁部（中空管１１の円周方向にて、スリット１１Ｓを含む壁部）が拡径し、その拡径した中空管１１の外径が、コイル２１の内側に接触する。つまり、このような場合、確実に、拡径した中空管１１における外壁が、コイル２１の内側に接触する。
【００４８】
なお、スリット１１Ｓを含む中空管１１に、芯１５が挿入される場合、拡径しやすい部分は、中空管１１にてスリット１１Ｓを含む壁部である（この壁部は足部とも称せる）。そのため、スリット１１Ｓを含む壁部で規定される拡径した外径は、中空管１１にてスリット１１Ｓを含まない壁部で規定される外径に対して、１．１倍以上になるともいえる｛要は、中空管１１の外径にて、スリット１１Ｓに重なる外径が、上述の挿入後中空管外径に相当し、スリットに重ならない外径が、上述の挿入前中空管外径に相当する）。
【００４９】
したがって、芯１５は、中空管１１にて、スリット１１Ｓを含む壁部で規定される外径を、スリット１１Ｓを含まない壁部で規定される外径に対して１．１倍以上（拡径率；１１０％以上）の大きさにさせる外径を有すると好ましい。
【００５０】
また、芯１５は、中空管１１にてスリット１１Ｓを含まない壁部の内径よりも大きな外径を有していれば、中実（中実芯）であっても中空（中空芯）であってもよい。
【００５１】
また、芯１５が、中空管１１にてスリット１１Ｓを含む壁部に挿入される場合に、挿入できる強度を有していればよく、鉄、銅、真鍮、あるいはステンレス鋼等の金属、または、ナイチノール等の超弾性材料等で形成されてもよい。また、芯１５の材料は、ポリアミド、ポリエーテルエーテルケトン（ＰＥＥＫ）、ポリイミド、または、ポリアミドイミドあるいはこれらのポリマーブレンドまたはポリマーアロイ等の樹脂であっても構わない。
【００５２】
ところで、コイル２１が中空管１１の外壁によって固定されている場合、そのコイル２１の外側に、図１０および図１０に示される中空管１１の長手方向Ｌに対して垂直な断面図である図１１に示すように、外層チューブ２２が被せられてもよい（なお、外層チューブ２２は外層２２とも称される）。すなわち、コイル（コイル層）２１と外層チューブ（外層）２２とを含む多層構造のシャフトチューブ２９が製造されてもよい。
【００５３】
このような外層チューブ２２がコイル２１に被せられる場合、外層チューブ２２の内径は、コイル２１の外径よりも大きければよい。ただし、外層チューブ２２の内壁とコイル２１の外側との間隔（クリアランス）が比較的小さかったとしても、コイル２１は、芯１５の挿入された中空管１１に固定されているため、コイル２１の素線のピッチが、外層チューブ２２の装着に起因して乱れない。
【００５４】
また、外層チューブ２２の外側には、さらに、熱収縮チューブ（シュリンクチューブといわれるような一般的な熱収縮チューブ）が被せられ、これらが加熱されることで、熱収縮チューブが熱を帯びつつ収縮し、それにより、外層チューブ２２が溶け、コイルに対して付着する（要は、熱溶着する）。その結果、図１２および図１２に示されるシャフトチューブ２９の長手方向に対して垂直な断面図である図１３に示すように、外層チューブ２２とコイル２１とを一体化させたシャフトチューブ２９が得られる（なお、シャフトチューブ２９の長手方向は中空管１１の長手方向Ｌと同方向であり、熱収縮チューブは、例えば加熱後に剥がされる）。
【００５５】
なお、熱収縮チューブで被われた外層チューブ２２が、自身の融点より高い温度で加熱される場合、その外層チューブ２２は、確実に溶融するので、コイル２１に絡まり、確実に一体化する。一方で、熱収縮チューブで被われた外層チューブ２２が、自身の融点よりも低い温度で加熱される場合、外層２２とコイル２１とが、それぞれ独立して挙動するシャフトチューブ２９となる。
【００５６】
また、熱収縮チューブで被われた外層チューブ２２が加熱された後、その熱収縮チューブが剥がされると好ましい。このようになっていると、必要に応じて、熱収縮チューブが剥がされた後、芯１５が中空管１１から引き抜かれることにより、コイル２１に接触していた中空管１１のスリット１１Ｓを含む壁部が、半径方向の内側に移動し（別表現すると、中空管１１の内径中心に向かって、中空管１１にてスリット１１Ｓを含む壁部が移動し）、中空管１１が、コイル２１と外層２２とから容易に引き抜ける。
【００５７】
また、熱収縮チューブの加熱は、特に限定されず、オーブンあるいはヒートガン等の熱風、金型成形、誘導加熱、または、レーザー等による加熱であってもよい。
【００５８】
また、外層チューブ２２の材料は、特に限定されず、例えば、一般的な熱可塑性樹脂であってもよい。また、外層チューブ２２は、単層であっても、２層以上の多層であってもよい。
【実施例】
【００５９】
なお、以下に、上述してきた内容の具体的な一例である実施例（ＥＸ）１〜実施例３と、比較対象の一例である比較例(ＣＥＸ)１および比較例２とを記す。
【００６０】
〈実施例１〉
実施例１でのスリット１１Ｓを含む中空管１１は、以下の通りである。詳説すると、中空管１１は、ステンレス製（ＳＵＳ３０４）であり、外径０．９０ｍｍ、内径０．８２ｍｍ、長さ３００ｍｍである。また、この中空管１１は、自身の長手方向Ｌの一端から他端に向けて、幅０．５０ｍｍ、長さ２５０ｍｍのスリット１１Ｓを１本含む。
【００６１】
そして、中空管１１の一端（詳説すると、中空管１１の両端のうち、スリット１１Ｓの進入側の一端）から、ステンレス製（ＳＵＳ３０４）製の直径０．１０ｍｍの素線で作製されたコイル２１（外径１．２０ｍｍ、内径１．００ｍｍ、長さ２００ｍｍ、コイル２１の素線のピッチ０．２０ｍｍ）が嵌められる（挿入される）。なお、このように、隣り合う素線と素線との間に隙間がある巻き方は、疎ピッチ巻と称され、このようなコイルを疎巻コイルとも称される。
【００６２】
このコイル２１は、中空管１１のスリット１１Ｓを含む外壁を被う。その後、ステンレス製（ＳＵＳ３０４）の中実芯１５（外径０．９２ｍｍ、長さ３００ｍｍ）が、中空管１１の両端のうち、スリット１１Ｓの進入側の一端から２２０ｍｍ挿入される。
【００６３】
すると、中空管１１にて、スリット１１Ｓを含む壁部が、半径方向に拡径し、コイル２１と接触する（この接触は、視覚的にも確認された）。そのため、コイル２１が、例えば他物体に接触しても、そのコイル２１は、中空管１１の外壁に対する接触により固定される。すなわち、コイル２１における素線のピッチが乱れることは無い。
【００６４】
なお、中実芯１５は中空管１１からスムーズに引き抜け、さらに、中空管１１がコイル２１からスムーズに引き抜ける。
【００６５】
〈実施例２〉
実施例２でのスリット１１Ｓを含む中空管１１は、以下の通りである。詳説すると、中空管１１は、ナイチノール製であり、外径１．１０ｍｍ、内径１．００ｍｍ、長さ３００ｍｍである。また、この中空管１１は、自身の長手方向Ｌの一端から他端に向かって、幅０．５０ｍｍ、長さ２５０ｍｍのスリット１１Ｓを１本含む。
【００６６】
そして、中空管１１の一端（詳説すると、中空管１１の両端のうち、スリット１１Ｓの進入側の一端）から、ステンレス製（ＳＵＳ３０４）製の直径０．１０ｍｍの素線で作製された疎巻コイル２１（外径１．４５ｍｍ、内径１．２５ｍｍ、長さ２００ｍｍ、コイル２１の素線のピッチ０．２０ｍｍ）が嵌められる。
【００６７】
このコイル２１は、中空管１１のスリット１１Ｓを含む外壁を被う。その後、ステンレス製（ＳＵＳ３０４）の中実芯１５（外径１．１５ｍｍ、長さ３００ｍｍ）が、中空管１１の両端のうち、スリット１１Ｓの進入側の一端から２２０ｍｍ挿入される。
【００６８】
すると、実施例１同様に、中空管１１にて、スリット１１Ｓを含む壁部が、半径方向に拡径し、コイル２１と接触する（この接触は、視覚的にも確認された）。そのため、コイル２１が、例えば他物体に接触しても、そのコイル２１は、中空管１１の外壁に対する接触により固定される。すなわち、コイル２１における素線のピッチが乱れることは無い。
【００６９】
なお、実施例１同様に、中実芯１５は中空管１１からスムーズに引き抜け、さらに、中空管１１がコイル２１からスムーズに引き抜ける。
【００７０】
〈実施例３〉
実施例３でのスリット１１Ｓを含む中空管１１、コイル２１、および中実芯１５は、実施例１と同様であり、実施例３での加工工程も実施例１と同様である。
【００７１】
ただし、実施例３では、ポリアミドエラストマー（ショアＤ硬度５５Ｄ）により押出成形された外層チューブ２２（外径１．３５ｍｍ、内径１．２５ｍｍ、長さ２００ｍｍ）が、中実芯１５を挿入された中空管１１を被うコイル２１に対して嵌められる（別表現すると、外層チューブ２２に、要は、コイル２１が挿入される）。このような中空管１１を被うコイル２１に対して、外層チューブ（樹脂チューブ）２２が被せられる工程で、コイル２１における素線のピッチが乱れることは無かった。
【００７２】
さらに、この外層チューブ２２に対して、フッ素樹脂製の熱収縮チューブ（ＦＥＰ製の熱収縮チューブ）が被せられ、熱収縮チューブ、外層チューブ２２、コイル２１、中空管１１、および中実芯１５は、オーブンにて１８０℃、１０分間加熱された（要は、外層チューブ２２に対して、熱収縮チューブを被わせ、その熱収縮チューブを加熱する工程が行われる）。
【００７３】
そして、熱収縮チューブが剥がされた後、中実芯１５が中空管１１からスムーズに引き抜かれ、さらに、中空管１１がコイル２１からスムーズに引き抜かれる（なお、中実芯１５が引き抜かれた後での中空管１１の内径および外径は、中実芯１５の挿入される前の内径および外径になっており、中空管１１はコイル２１からスムーズに引き抜かれた）。
【００７４】
そして、完成したシャフトチューブ２９では、コイル２１における素線のピッチが乱れていなかった。
【００７５】
〈比較例１〉
比較例１では、中空管１１は使用しない。すなわち、ステンレス製（ＳＵＳ３０４）の中実芯（外径１．００ｍｍ、長さ３００ｍｍ）の一端に対して、実施例１同様のステンレス製（ＳＵＳ３０４）製の直径０．１０ｍｍの素線で作製された疎巻コイル（外径１．２０ｍｍ、内径１．００ｍｍ、長さ２００ｍｍ、コイルの素線のピッチ０．２０ｍｍ）が嵌められる。
【００７６】
このようなコイルが中実芯に対して被せられる工程では、コイルと中実芯との抵抗が比較的大きく生じ、中実芯の外表面にて、コイルが、素線のピッチを乱した状態で固定された（つまり、この比較例１では、コイルは中空管に固定されておらず、コイルが動くことにより、素線のピッチが乱れてしまい、良好な加工ができない）。
【００７７】
また、中実芯がコイルから引き抜かれる場合、コイルが中実芯の外表面に引っ掛かってしまい、中実芯が引き抜けなかった。
【００７８】
〈比較例２〉
比較例２では、実施例１と同様に、スリットを含む中空管、中実芯、およびコイルが用いられる。ただし、比較例２での全長３００ｍｍの中実芯の外径は、実施例１での全長３００ｍｍの中実芯１５の外径と異なって、０．８０ｍｍである（逆に、比較例２での中空管およびコイルは、実施例１での中空管１１およびコイル２１と同じである）。また、比較例２でのコイルの加工工程も、実施例１でのコイル２１の加工工程と同様である。
【００７９】
すなわち、比較例２では、中空管の一端から、疎巻コイルが嵌められる。その後、中実芯（外径０．８０ｍｍ、長さ３００ｍｍ）が、中空管の両端のうち、スリットの進入側の一端から２２０ｍｍ挿入される。
【００８０】
しかしながら、このような中実芯の外表面は、中空管の内壁に接触せず、中空管の内径および外径が、中実芯を挿入される前の中空管の内径および外径と変わらない。そのため、中空管にて、スリットを含む壁部が、半径方向に拡径せず、コイルと接触しない。すると、コイルが、例えば他物体に接触してしまうと、そのコイルにおける素線のピッチが乱れる。つまり、この比較例２では、コイルは中空管に固定されておらず、コイルが動くことにより、素線のピッチが乱れてしまい、良好な加工ができない。
【００８１】
［実施の形態２］
実施の形態２について説明する。なお、実施の形態１で用いた部材と同様の機能・作用効果を有する部材については同一の符号を付記し、その説明を省略する。
【００８２】
実施の形態１で説明した中空管１１のスリット１１Ｓは、中空管１１の長手方向Ｌ｛別表現すると、中空管１１の中空（内腔）の伸び方向｝に沿うように伸びていた。すなわち、中空管１１の長手方向Ｌ（長軸）に対して、スリット１１Ｓの傾斜角は、０°であった。しかし、これに限定されるものではない。
【００８３】
例えば、図１４の側面図に示すように、スリット１１Ｓは、中空管１１の長手方向Ｌに対して、傾斜角θを有してもよい。ただし、この傾斜角θは、０°を越え３０°以下｛０°＜θ≦３０°  …  式（１）｝であると好ましい。
【００８４】
傾斜角θが３０°を超える場合、スリット１１Ｓが円周方向に近づくように伸びることになり、中空管１１に芯１５が挿入されると、その中空管１１におけるスリットを含む壁部が、半径方向に拡大しない。むしろ、このような場合、中空管１１は、自身の長手方向Ｌに沿うように変形してしまいかねない。また、コイル２１の巻回方向と、スリット１１Ｓの方向とが、同方向に近づいていると、コイル２１の素線が、スリット１１Ｓに引っ掛かることもあり得る。
【００８５】
一方、傾斜角θが３０°以下の場合、傾斜角θが３０°を超える場合に起き得る事態、すなわち、中空管１１におけるスリット１１Ｓを含む壁部が、半径方向に拡大しない、中空管１１の変形、または、コイル２１における素線とスリット１１Ｓとの係り合い、といった事態が起きない。つまり、スリット１１Ｓの傾斜角θが３０°以下であれば、実施の形態１で説明してきたような、作用効果が奏ずる。
【００８６】
なお、スリット１１Ｓの傾斜角θが３０°を越える一例として、以下に比較例３を記す。
【００８７】
〈比較例３〉
比較例３では、実施例１と同様に、スリットを含む中空管、中実芯、およびコイルが用いられる。ただし、比較例３での中空管は、実施例１での中空管と同じ全長・外径・内径を有するが、スリット幅０．２０ｍｍの１本のスリットが有する傾斜角θは４５°で、実施例１での１本のスリット１１Ｓの傾斜角θとは異なる（逆に、比較例３での中実芯およびコイルは、実施例１での中実芯１５およびコイル２１と同じである）。また、比較例３でのコイルの加工工程も、実施例１でのコイル２１の加工工程と同様である。
【００８８】
すなわち、比較例３では、中空管の一端から、疎巻コイルが嵌められる。しかしながら、このような中空管に対するコイルの嵌め込みの場合、螺旋状のスリットにコイルの素線が引っ掛かってしまった（要は、中空管に対して、コイルが容易にはまらなかった）。
【００８９】
また、このコイルが、中空管のスリットを含む外壁を被うようにされた後、ステンレス製の中実芯（外径０．９２ｍｍ、長さ３００ｍｍ）が、中空管の両端のうち、スリットの進入側の一端から２２０ｍｍ挿入される。
【００９０】
この中実芯の挿入の場合、中空管のスリットを含む壁部が、中空管の半径方向に拡径し、コイルと接触した。ただし、コイルの素線が、スリットに入り込むことで、素線のピッチが乱れてしまい、良好な加工ができない。
【００９１】
［実施の形態３］
実施の形態３について説明する。なお、実施の形態１・２で用いた部材と同様の機能・作用効果を有する部材については同一の符号を付記し、その説明を省略する。
【００９２】
実施の形態１・２では、中空管１１に形成されるスリット１１Ｓは、１本で、中空管１１の全長に渡って形成されていない。すなわち、中空管１１の長手方向Ｌにおける両端のうち、スリット１１Ｓは、一端から進入して他端に向かって進行していくものの、他端にまで到達していない。しかし、これに限定されるものではない。
【００９３】
例えば、図１５に示すように、中空管１１の長手方向Ｌにおける両端に渡って、スリット１１Ｓが形成されていてもよい（要は、中空管１１の全長における少なくとも一部分に、スリット１１Ｓが形成されているとよい）。
【００９４】
このようになっていると、コイル加工方法では、全長における全部分にスリット１１Ｓを含む中空管１１に、コイル２１を被わせる工程と、その中空管１１に対する芯１５の挿入によって、スリット１１Ｓにおける幅（スリット幅）を変化させ、コイル２１の内側に接触するまで中空管１１を拡径させる工程と、が含まれる。
【００９５】
そして、このように、中空管１１が自身の全長と同じ長さのスリット１１Ｓを含んでいても、芯１５が挿し込まれることによって、スリット１１Ｓにおける幅が広がり、中空管１１が拡径する。そのため、中空管１１の外壁が、コイル２１の内側に接触することで、コイル２１における素線のピッチが固定される。したがって、このような中空管１１を用いたコイル２１の加工であっても、実施の形態１で説明してきたような、作用効果が奏ずる。
【００９６】
［実施の形態４］
実施の形態４について説明する。なお、実施の形態１〜３で用いた部材と同様の機能・作用効果を有する部材については同一の符号を付記し、その説明を省略する。
【００９７】
実施の形態１〜３では、中空管１１に形成されるスリット１１Ｓは、１本であった。しかし、これに限定されるものではない。
【００９８】
例えば、図１６に示すように、中空管１１に、複数のスリット１１Ｓが形成されていてもよい（要は、中空管１１におけるスリット１１Ｓの個数は、単数であっても複数であってもかまわないし、さらには、２本のスリット１１Ｓのうちの一本が中空管１１の全長に亘っていてもかまわない）。
【００９９】
そして、図１６に示すような、全長における一部分に、２本のスリット１１Ｓを含む中空管１１に対して、芯１５が挿入されたとしても、スリット１１Ｓにおける幅が変化し、コイル２１の内側に接触するまで、中空管１１は拡径する。したがって、このような中空管１１を用いたコイル２１の加工であっても、実施の形態１で説明してきたような、作用効果が奏ずる。
【０１００】
なお、このような２本のスリット１１Ｓを含む中空管１１の一例である実施例４を以下に記す。また、実施例１〜実施例４および比較例１〜比較例３をまとめたものを表にして、図１７に示す。
【０１０１】
〈実施例４〉
実施例４では、実施例１と同様に、スリットを含む中空管１１、中実芯１５、およびコイル２１が用いられる。ただし、実施例４での中空管１１は、自身の長手方向Ｌの一端から他端に向けて、幅０．２０ｍｍ、長さ２５０ｍｍのスリット１１Ｓを２本含む点のみが、実施例１と異なる（逆に、実施例４での中実芯１５およびコイル２１は、実施例１での中実芯１５およびコイル２１と同じである）。なお、この２本のスリット１１Ｓは、向かい合っている（別表現すると、２本のスリット１１Ｓは、中空管１１の円周方向において１８０度の角度になるよう形成される）。また、実施例４でのコイルの加工工程も、実施例１でのコイル２１の加工工程と同様である。
【０１０２】
すなわち、実施例４では、中空管１１の一端から、疎巻コイル２１が嵌められる。その後、中実芯１５が、中空管１１の両端のうち、スリット１１Ｓの進入側の一端から２２０ｍｍ挿入される。
【０１０３】
すると、中空管１１にて、スリット１１Ｓを含む壁部が、半径方向に拡径し、コイル２１と接触する（この接触は、視覚的にも確認された）。そのため、コイル２１が、例えば他物体に接触しても、そのコイル２１は、中空管１１の外壁に対する接触により固定される。すなわち、コイル２１における素線のピッチが乱れることは無い。
【０１０４】
なお、中実芯１５は中空管１１からスムーズに引き抜け、さらに、中空管１１がコイル２１からスムーズに引き抜ける。
【０１０５】
［その他の実施の形態］
なお、本発明は上記の実施の形態に限定されず、本発明の趣旨を逸脱しない範囲で、種々の変更が可能である。
【０１０６】
例えば、スリット１１Ｓの形状は、特に限定されない。例えば、スリット１１Ｓが１本であれば、芯１５が中空管１１に挿入される場合に、その中空管１１の径（内径および外径）が、所望の径に拡径するように、中空管１１における材料および肉厚から、適宜スリット幅が選択されればよい。
【０１０７】
また、スリットが２本以上であれば、中空管１１の拡径において、スリット１１Ｓの幅の寄与は小さい。そのため、スリット１１Ｓの幅または形状は、スリットの加工方法にあわせて、適宜選択されればよい。
【０１０８】
また、中空管１１は、壁部を一部欠損（除去）させることでスリット１１Ｓを形成する。そのため、このスリット１１Ｓを含む壁部に対して、外部より圧が加えられると（例えば、中空管１１のスリット１１Ｓ付近が手で把持される）、中空管１１において、スリット１１Ｓを含む壁部は、スリット１１Ｓを含まない壁部よりも、外径を小さくさせられる。そのため、スリット１１Ｓを含む壁部の外壁に、コイル２１が比較的容易に嵌められる。
【０１０９】
なお、中空管１１に対して、コイル２１が嵌められる場合に、さらに作業を行いやすくするために、中空管１１のスリット１１Ｓを含まない壁部から規定される内径よりも小さい芯が、中空管１１に挿入されていても構わない。
【０１１０】
また、中空管１１にてスリット１１Ｓを含まない壁部は、図１に示すように、拡径されない。そのため、中空管１１にてスリット１１Ｓを含まない壁部には、コイル２１が被われず、その壁部は、芯１５の挿入および抜去の場合に、中空管１１の固定される部分として使用されてもよい。
【０１１１】
例えば、中空管１１にスリット１１Ｓが２本以上形成されている場合、中空管にてスリット１１Ｓを含む壁部は、別表現すると、スリット１１Ｓの数と同じ数だけ、スリット１１Ｓで区分けされた円弧状の壁部（足部）となる。そして、スリット１１Ｓでカットされた円弧状の壁部（曲面状の板）の内側には、芯１５が挿入されるが、中空管１１にてスリット１１Ｓを含まない壁部は固定されてもよい（要は、中空管１１にて、スリット１１Ｓの進入側に対する反対側が、手等で把持されてもよい）。
【０１１２】
また、コイル２１における素線のピッチは、特に限定されるものではない。すなわち、コイル２１のピッチは実施例１〜実施例４のように、疎ピッチでもよいし、密着していてもよい。ただし、疎巻コイル２１では、素線のピッチが乱れやすいため、上述してきたコイル加工装置１９（中空管１１および芯１５）の効果が顕著に現れる。
【０１１３】
また、コイル２１の内径は、中空管１１にてスリット１１Ｓを含まない壁部で規定される外径よりも大きく、芯１５を挿入した後の中空管１１のスリット１１Ｓを含む壁部で規定される外径よりも小さくすることで、中空管１１への芯１５の挿入が容易で、芯１５を挿入した中空管１１でのコイル２１の固定が良好に行える。
【符号の説明】
【０１１４】
１１        中空管
１１Ｓ      スリット
Ｌ          中空管の長手方向［中空管の全長方向］
１５        芯
１９        コイル加工装置
２１        コイル
２２        外層チューブ［外層］
２９        シャフトチューブ［医療用チューブ］
【図１】
2012071038.tif 000003
【図２】
2012071038.tif 000004
【図３】
2012071038.tif 000005
【図４】
2012071038.tif 000006
【図５】
2012071038.tif 000007
【図６】
2012071038.tif 000008
【図７】
2012071038.tif 000009
【図８】
2012071038.tif 000010
【図９】
2012071038.tif 000011
【図１０】
2012071038.tif 000012
【図１１】
2012071038.tif 000013
【図１２】
2012071038.tif 000014
【図１３】
2012071038.tif 000015
【図１４】
2012071038.tif 000016
【図１５】
2012071038.tif 000017
【図１６】
2012071038.tif 000018
【図１７】
2012071038.tif 000019